(57)【要約】【課題】竿先保護カバー内に収納された竿先及びガイドの周囲に隙間が生じていた場合には、竿間においても擦れ合いやガタツキ音が生じ、ガイドが振れ動くこととなる。【解決手段】竿先保護カバーは、底部より厚みが薄い両側壁を有するＵ型のインナー保持部材が、内部に差し入れられた竿先と重ね連なるガイドフレームの両側面を挟持するように弾性的に保持し、この保持状態のインナー保持部材をカバー本体内に収納され、短尺な竿間の移動を規制する。【選択図】図１
2013074860.tif 000002
【特許請求の範囲】
【請求項１】
元竿に多段収納される各短尺な竿に設けられた、連れ重なる複数の少なくとも穂先竿の釣糸ガイドの両側面を弾性的に挟持するインナー保持部材と、
先端がキャップ形状を成して前記インナー保持部材を受け入れる開口部分を有し、該開口部分から挟持状態を維持する前記インナー保持部材の先端側を挿入して当接させて収納するカバー本体と、
前記短尺な竿の外周に巻回し、前記インナー保持部材の後端側を釣糸ガイドが非挟持の短尺な竿に当接させて元竿側に押圧し、前記短尺な竿間の移動を規制するように前記カバー本体を短尺な竿に固定する係止部材と、
を具備することを特徴とする竿先保護カバー。
【請求項２】
前記インナー保持部材は、Ｕ型の形状、コの字型の形状又は、Ｏ型の形状のいずれかの形状で柔軟性を有する材料により形成され、いずれの形状においても両側壁の厚さが底部及び上部の厚さよりも薄くなるように形成されていることを特徴とする請求項１に記載の竿先保護カバー。
【請求項３】
前記インナー保持部材は、多段収納される前記短尺な竿における元竿の端部に固定ガイドより竿先側に設けられた複数のガイドフレームの両側面を挟持することを特徴とする請求項１に記載の竿先保護カバー。
【請求項４】
先端がキャップ形状を成し、先端から後端に亘る開口部分を有するカバー本体と、
前記カバー本体からスライド移動により引き出され、引き出された位置にて回動可能に設けられたスライド基部と、
前記スライド基部に一体的に固定され、元竿に多段収納される各短尺な竿に設けられた、連れ重なる複数の少なくとも穂先竿の釣糸ガイドの両側面を弾性的に挟持する固定インナー保持部材と、
前記短尺な竿の外周に巻回し、前記インナー保持部材の後端側を釣糸ガイドが非挟持の短尺な竿に当接させて前記元竿側に押圧し、前記短尺な竿間の移動を規制するように前記カバー本体を短尺な竿に固定する係止部材と、
を具備し、
前記固定インナー保持部材は、前記スライド基部が回動された位置で釣糸ガイドの装着及び脱着を行うことを特徴とする竿先保護カバー。
【発明の詳細な説明】
【技術分野】
【０００１】
本発明は、釣糸のガイドが設けられた振出竿の竿先保護カバーに関する。
【背景技術】
【０００２】
一般的な魚釣用竿杆（以下、釣竿と称する）の中で、複数の釣糸外通し用ガイド（以下、ガイドと称する）が設けられた磯釣り用竿又は海岸等から仕掛けを遠投する竿がある。これらの竿は、携行時には、竿全長が短い仕舞寸法になるように、短尺に分割されており、一般的には、並継竿及び振出竿として知られている。並継竿は、分割された竿の端部どうしを差し込みにより継ぎ合わせる構成である。
【０００３】
また、振出竿は、竿元側から竿先まで順次、分割された竿がガイド部分を露呈した状態で竿内に仕舞い込まれるように収納、所謂、多段収納されて、釣行時には、竿先から引き出し伸長させて使用される。この振出竿は、仕舞寸法に収納された際には、複数のガイドは竿端で重ね連ねるように揃えられている。このような状態で携行する場合、これらのガイド及び竿先における変形や穂先折れなどの損傷が及ばないように、保護カバーが取り付けられている。
【０００４】
この保護カバーとして、例えば、特許文献１には、保護カバーに加えて、別途、補助具を設けた構成例が提案されている。この補助具は、保護カバー内で、竿の継ぎ目部分に一端（舌片部）が差し込まれ、一対又は二対の突出した円弧状のアーム形の保持部で竿を把持し、この例では、元竿前又は３番竿ピースを把持して、穂先（竿先）に及ぶ衝撃を防止し、竿先がカバー内壁に衝突することを防止している。
【先行技術文献】
【特許文献】
【０００５】
【特許文献１】特開２００１−２７５５２１号公報
【発明の概要】
【発明が解決しようとする課題】
【０００６】
釣竿の製造技術の進歩に伴い、強度の改善、竿重量の軽量化及び、細径化等が実現されている。つまり、釣竿の穂先部分も細径化されているため、保護カバーは、竿先を含めたガイド部分に対して、外部からの衝撃に耐えるように、工夫されていなければならない。
【０００７】
前述した特許文献１において、保護カバー内に設けられた補助具は、収納された竿間の隙間に舌片部を差し込み固定され、保持部は、竿をあるエリア内で保持した状態である。また装着時には、ユーザがトップガイドを衝撃吸収材に擦りつけて、変形させないように、衝撃吸収材とトップガイドは、隙間を空けて装着されている。
【０００８】
この時、補助具の保持部は、ガイドではなく、一部の竿自体を保持しているため、保持部より竿先側の分割された竿やガイド群は、保護カバー内で、ある程度フリー状態となり、分割された竿間で竿長手方向にスライド移動し、衝撃吸収材に当接して停止する。トップガイドが衝撃吸収材に当接している時には、竿先から２番竿以降の竿もスライド移動が可能な状態となる。また、仕舞われた際に各竿の開口径の違いから、振動等が加わった場合には、竿間で衝突や擦れ合いが生じ、ガイドも振れ動くこととなる。
【０００９】
従って、振出竿が携行される際に例えば、モータサイクルや自転車の荷台にクーラー等の釣り道具と一緒に括り付けられた場合には、どの方向を向くように固定されていても、前後左右及び突き上げの複合的な振動及び衝撃が加わることとなる。例えば、荷台に釣竿を立てて括り付けた場合、走行時に道路の段差等で下から急激に突き上げられた際には、穂先のトップガイドは下側の竿から押し上げられて衝撃吸収材に勢いよく衝突し、その他のガイドは振れ動き、竿間においても擦れ合いやガタツキ音が生じる。
【００１０】
つまり、保護カバーへの衝突によるガイドの破損を防止することができても、竿同士の摺合いによる損傷は避けることができず、ガタツキ音に対して不安を覚え、ガイドの変形等の懸念が生じる。よって、好ましくは、ガイドが分割された竿と共に不動となるように固定される保持が望ましい。  
そこで本発明は、竿先を含み、トップガイド以下のガイド群が不動となるように固定し、且つ装脱着が容易で簡易な構成の竿先保護カバーを提供することを目的とする。
【課題を解決するための手段】
【００１１】
上記目的を達成する竿先保護カバーは、多段収納される各短尺な竿に設けられた、連れ重なる複数の釣糸ガイドの両側面を弾性的に挟持するインナー保持部材と、先端がキャップ形状を成して前記インナー保持部材を受け入れる開口部分を有し、前記インナー保持部材の挟持状態を維持するように収納するカバー本体と、前記インナー保持部材に保持された前記短尺な竿の外周に巻回して、前記カバー本体を該短尺な竿に固定する係止部材と、を具備する。
【発明の効果】
【００１２】
本発明によれば、竿先を含み、トップガイド以下のガイド群を不動となるように固定し、且つ装脱着が容易で簡易な構成の竿先保護カバーを提供することができる。
【図面の簡単な説明】
【００１３】
【図１】図１は、第１の実施形態に係る竿先保護カバーを装着する釣竿の全体の概観構成例を示す図である。
【図２】図２（ａ）は、釣竿に装着された竿先保護カバーを側面から見た断面構成例を示す図、図２（ｂ）は、竿先保護カバーを上から見た外観構成例を示す図、図２（ｃ）は、竿先保護カバーを上から見た断面構成例を示す図である。
【図３】図３は、竿先保護カバー内に設けられるインナー補助部材の外観構成例を示す図である。
【図４】図４は、図２（ｂ）の竿先保護カバーのＢ−Ｂ断面の構成例を示す図である。
【図５】図５は、図２（ｂ）の竿先保護カバーのＣ−Ｃ断面の構成例を示す図である。
【図６】図６は、インナー保持部材の第１の変形例の外観構成例を示す図である。
【図７】図７は、インナー保持部材の第２の変形例の外観構成例を示す図である。
【図８】図８（ａ）は、第２の実施形態に係る釣竿に装着された竿先保護カバーを側面から見た断面構成例を示す図、図８（ｂ）は、インナー保持部材が設けられたスライド基材を上から見た外観構成を示す図、図８（ｃ）は、竿先保護カバー本体からスライド基材が引き出された状態を示す図、図８（ｄ）は、竿の装脱時の竿先保護カバーの状態を示す図である。
【発明を実施するための形態】
【００１４】
以下、図面を参照して本発明の実施形態について詳細に説明する。  
［第１の実施形態］  
図１は、本発明の第１の実施形態に係る竿先保護カバーを装着する釣竿の全体の概観構成例を示している。図２（ａ）は、本実施形態における竿先保護カバーを側面から見た断面構成例を示す図、図２（ｂ）は、竿先保護カバーを上から見た外観構成例を示す図、図２（ｃ）は、竿先保護カバーを上から見た断面構成例を示す図である。尚、図２（ａ）は、図２（ｂ）の線分Ａ−Ａによる断面を示し、図２（ｃ）は図２（ａ）の線分Ｄ−Ｄによる断面を示している。
【００１５】
釣竿１は、竿本体２に複数の釣糸外通し用のガイド５が設けられた４本継ぎの振出竿であり、バット部４には、スピニングリール３が装着されている。本実施形態の竿本体２は、４つに分割された短尺な竿、例えば、穂先竿、２番竿、３番竿及び元竿からなり、これらの竿が元竿側から順次、ガイド部分を露呈した状態で元竿内に仕舞い込まれるように、多段収納される。
【００１６】
これらのガイド５は、リング形状のガイドフレーム（又は、リング保持部）内にガイドリングが嵌め込まれて構成される。ガイドフレームは、竿からの糸通しの高さを調整するための脚部を経て、取付部材により竿端に固定又は、環形状の移動式取付部材に固定されている。
【００１７】
本実施形態では、穂先竿に設けられたトップガイド５ａ及びガイド５ｂ、２番竿に設けられたガイド５ｃ、３番竿に設けられた５ｄにより構成されている。これらのうち、それぞれの竿先端に設けられたガイドは、固定ガイドであり、これ以外は、スライド移動可能な移動ガイドである。
【００１８】
収納状態の複数のガイド５は、元竿の先端で重ね連ねるように揃えられている。これらのガイド５を収納する竿先保護カバー６が装着され、装着ベルト７により、元竿の先端付近で固定されている。
【００１９】
竿先保護カバー６は、カバー本体９と、元竿のガイド５ｄ以外のガイド５ａ，５ｂ，５ｃを竿と共に挟み持つインナー保持部材１１と、カバー本体９を元竿に固定するための装着ベルト７とで構成される。
【００２０】
カバー本体９は、ポリカーボネイト等の樹脂材料により形成される。その形状は、先端側が少なくともトップガイド５ａを含む竿先を格納するキャップ形状（キャップ部分）を成し、以降は上面が開口されたＵ字型形状（開口部分）を成している。この開口部分は、竿への装着が容易になるように設けられている。カバー装着時には、少なくとも竿部分はカバー本体９内に収納され、ガイドフレームの一部が開口部分から露呈している。また、後端側の上面には、竿を受けるシート状クッション部１０が設けられている。
【００２１】
係止部材である装着ベルト７は、伸縮する部材、例えば、ゴム部材やスポンジ部材により形成される。装着ベルト７は、元竿の外周に巻回して、ベルト両端にそれぞれに設けられた孔を、カバー本体９の後端部の下面に設けられた突起に嵌合し、竿先保護カバー６を竿本体２に固定する。他の装着ベルト７の係止方法としては、面ファスナーを利用してもよい。また、カバー本体９のキャップ先端内には、スポンジ等による衝撃吸収材８が嵌め込まれ、インナー保持部材１１と当接又は近接している。
【００２２】
インナー保持部材１１について説明する。  
このインナー保持部材１１は、柔軟性を有する部材からなり、図３に示すような上面側が開口（インナー開口）し、両側壁が円弧形状となるＵ型の形状を成している。部材の材料としては、例えば、天然ゴム又は合成ゴム等のゴム材料、樹脂材料又は、スポンジ材料が用いられる。
【００２３】
また、インナー保持部材１１は、有色であってもよいが、透明性を有している方が保持状態を把握しやすいので好ましい。また、このＵ型の形状においては、両側壁の上端側の厚さｔ１が底部の厚さｔ２よりも薄く（ｔ１＜ｔ２）なるように形成されている。底部から上端に掛けて厚さをスムーズに薄くすることにより、リング形状のガイドフレーム両側面を挟持する部分が変形しやすくなり、差し込むだけで弾性保持される。また、底部を厚くしたことにより、竿の長手方向に変形しにくくなる。     
図４は、図２（ｂ）の線分Ｂ−Ｂの断面におけるインナー保持部材１１によるトップガイド５ａの保持状態を示している。図５は、図２（ｂ）の線分Ｃ−Ｃの断面におけるインナー保持部材１１によるガイド５ｂの保持状態を示している。図４に示すように、カバー本体９のキャップ部分に差し入れられたインナー保持部材１１は、側壁上部が丸められて当接し、竿先及びトップガイド５ａを包み込むように保持している。また、他のガイド５においては、図５に示すように、インナー保持部材１１のＵ型の側壁部分は、ガイドフレームの両側面を挟持するように弾性的に保持し、且つガイドフレームの上部は保持していない。
【００２４】
前述したインナー保持部材１１は、側壁が円弧状のＵ型の形状であったが、これ以外の形状であってもよい。図６には、第１の変形例となる断面がコの字型のインナー保持部材１２を示している。
【００２５】
このインナー保持部材１２は、前述した第１の実施形態のインナー保持部材１１と同様に、両側壁の厚さｔ３が底部の厚さｔ４よりも薄く（ｔ３＜ｔ４）なるように形成されている。従って、ガイドフレーム両側面を挟持する部分が変形しやすくなり、差し込むだけで弾性支持される。また、底部を厚くすることにより、竿の長手方向が変形しにくくなる。尚、インナー保持部材１２の底面が平坦面であるため、これを収納するカバー本体９の内側底面も平坦面であることが好ましい。
【００２６】
また、図７は、第２の変形例となる断面がＯ型チューブのインナー保持部材１４を示している。この変形例においても、両側壁の厚さｔ５が上部及び底部の厚さｔ６よりも薄く（ｔ５＜ｔ６）なるように形成されている。従って、ガイドフレーム両側面を挟持する部分が変形しやすくなり、差し入れるだけで弾性的に挟持される。また、この第２の変形例においては、チューブ端から竿先を差し入れる構成となるため、先端が開口された円錐形状を成しており、竿先側のトップガイドと元竿側の大型ガイド５ｃがそれらの大きさに適合して収納される。
【００２７】
次に、釣竿への竿先保護カバーの取付について説明する。  
図２（ａ）に示すように、竿本体２がインナー保持部材１１のインナー開口から挿入され、トップガイド５ａ及びガイド５ｂ，５ｃを含めて挟持して保持される。その保持状態のまま、カバー本体９の開口部分からインナー保持部材１１の竿先側を差し入れる。
【００２８】
インナー保持部材１１の先端が衝撃吸収材８に当接した時点で、元竿をクッション部１０に載置した後、装着ベルト７を元竿の外周に巻回し、短尺な竿間が当接する（縮まる）ように、少し押圧して固定する。  
本実施形態では、インナー保持部材１１が穂先竿のガイド５ａ及び２番竿のガイド５ｂを挟持して保持させて、インナー保持部材１１の先端側を衝撃吸収材８に当接するように、カバー本体９内に装着している。この時、インナー保持部材１１の後端側がガイドを挟持しない３番竿又は３番竿の先端のガイド５ｃに当接して、３番竿を元竿側に押しつけるように固定されている。このように、装着ベルト７により、インナー保持部材１１の後端側でガイドが挟持されていない短尺な竿を元竿側に押圧し（実際には、カバー本体９を竿側に引きつける操作）、短尺な竿間が移動できないように規制して固定するため、元竿側から穂先竿への衝撃が遮断される。
【００２９】
また、他の振出竿でガイドの大きさが異なる場合は、複数サイズのカバー本体９を用意して、インナー保持部材１１の長さや厚みを調整するだけで、多種多様なタイプに適用することができる。
【００３０】
以上説明したように、本実施形態の竿先保護カバーによれば、カバー本体９内に装着されるインナー保持部材１１が柔軟性を有し、弾性力により竿本体２及び個々のガイド５を側面から挟み込むように保持するため、携行時に、外部から釣竿に衝撃や振動が加わったとしても、竿及びガイドを変わらない状態で保持し、変形等の発生を防止することができる。
【００３１】
さらに、Ｕ形のインナー保持部材１１は、トップガイド以外のガイド５を保持するための力が側面に向かう力のみであり、上方側から下方側に向かう力は加わらない。従って、上方から加わる負荷に弱いガイド、例えば、ガイドリングが斜め方向に傾くシングルフットのガイドであれば、その傾きには負荷が掛からず、外部から竿先保護カバーに衝撃が加わったとしても、ガイドリングの傾きへの変形を防止することができる。
【００３２】
また、ガイド自体を両側面から挟持した状態で保持しているため、分割された竿同士の衝突や擦れ合いが防止される。さらには、携行時において、竿とガイドが固定された保持に伴い、ガタツキ音が無くなり、ユーザに対して竿保護における安心感を与える。  
本実施形態の竿先保護カバーによれば、簡易なインナー保持部材１１を採用することで、軽量で扱いやすく、製造コストを抑えることができる。
【００３３】
［第２の実施形態］
次に、図８を参照して、第２の実施形態について説明する。  
図８（ａ）は、第２の実施形態に係る釣竿に装着された竿先保護カバーを側面から見た断面構成例を示す図、図８（ｂ）は、インナー保持部材が設けられたスライド基材を上から見た外観構成を示す図、図８（ｃ）は、竿先保護カバー本体からスライド基材が引き出された状態を示す図、図８（ｄ）は、竿の装脱時の竿先保護カバーの状態を示す図である。尚、本実施形態の構成部位で前述した第１の実施形態の構成部位と同等の部位には同じ参照符号を付して、その説明は省略する。
【００３４】
本実施形態の竿先保護カバーは、カバー本体とインナー保持部材とが一体的に構成され、スライド移動されたインナー保持部材に釣竿を装着させる構成である。  
図８（ａ）に示すように、竿先保護カバー２１は、主として、カバー本体２２と、スライド基部２３と、固定インナー保持部材２７とで構成される。カバー本体２２及びスライド基部２３は、第１の実施形態と同様な樹脂材料により形成されている。
【００３５】
カバー本体２２の形状は、前述した第１の実施形態と同様に、先端側がトップガイド５ａを含む竿先を格納するキャップ形状（キャップ部分）を成し、以降は上面が開口（開口部分）されたＵ字型形状を成している。さらに、後端側には、装着ベルト７によりスライド基部２３と一体的に元竿の先端付近で固定するために、延出するアーム部２２ａが設けられている。
【００３６】
また、カバー本体２２のキャップ部分の先端内には、スポンジ等による衝撃吸収材８が嵌め込まれている。衝撃吸収材８は、スライド基部２３が押し込まれ過ぎた際に、スライド基部２３の先端部分と当接して、固定インナー保持部材２７とキャップ部分との衝突を防止する。
【００３７】
スライド基部２３は、板形状を成し、先端側の両側面には、それぞれガイド突起部２４が設けられている。カバー本体２２には、両側のガイド突起２４とスライド可能に嵌合するスライド溝２２ｂが形成されている。このスライド溝２２ｂ内には、先端側にスライド基部２３を係止して、カバー本体２２との嵌合状態を維持するための凸状の第１のストッパー部２５と、その後端側には、引き出されたスライド基部２３がカバー本体２２から抜け落ちず、且つ回動を可能にする第２のストッパー部２６とが設けられている。
【００３８】
スライド基部２３の上面（正面側）には、前述したインナー保持部材１１と同様な保持機能を有する固定インナー保持部材２７が設けられている。固定インナー保持部材２７は、スライド基部２３に接着剤等で固着されている。図８（ｄ）に示すように、この固定インナー保持部材２７は、スライド基部２３に固定された状態で、インナー開口から竿本体２が差し込まれ、トップガイド５ａ及びガイド５ｂ，５ｃを含めて内包して保持される。ガイドの保持状態は、前述した図４及び図５と同等である。スライド基部２３の後端側の上面には、竿を受けるシート状クッション部１０が設けられ、装着ベルト７を備えている。
【００３９】
次に、釣竿への竿先保護カバーの取付について説明する。  
まず、図８（ｃ）に示すように、スライド基部２３をカバー本体２２から引き出して、ガイド突起２４を第１のストッパー部２５による係止状態から解除する。さらに引き出して、第２のストッパー部２６に当接して停止させる。
【００４０】
次に、図８（ｄ）に示すように、カバー本体２２をスライド基部２３の裏面側に回動させて、固定インナー保持部材２７を露呈させる。竿本体２を固定インナー保持部材２７のインナー開口から差し入れ、本実施形態におけるトップガイド５ａ及びガイド５ｂ，５ｃを弾性的に保持させ、且つ元竿をクッション部１０に載置させた状態にする。
【００４１】
続いて、元竿及びスライド基部２３を手で支持し、カバー本体２２を正面側に回動させて、カバー本体２２をスライド基部２３に被せるように差し入れる。その後、ガイド突起２４がスライド溝２２ｂを移動して、第１のストッパー部２５を越えた位置で停止させる。さらに、装着ベルト７を元竿に巻回して、竿先保護カバーを固定する。
【００４２】
本実施形態によれば、第１の実施形態における効果に加えて、カバー本体２２と固定インナー保持部材２７がスライド移動可能で一体的に構成されているため、釣竿への装脱が容易である。さらに、本実施形態の竿先保護カバーは、一体的な構造であるため、釣行時に釣竿から取り外してバッグに収納した際に、インナー保持部材とカバー本体が別体の構成に比べて保管が容易であり、片方を見失う可能性が低くなる。
【符号の説明】
【００４３】
１…釣竿、２…竿本体、３…スピニングリール、４…バット部、５，５ｂ，５ｃ，５ｄ…ガイド、５ａ…トッガイド、６，２１…竿先保護カバー、７…装着ベルト、８…衝撃吸収材、９，２２…カバー本体、１０…シート状クッション部、１１…インナー保持部材、２２…カバー本体、２２ａ…アーム部、２２ｂ…スライド溝、２３…スライド基部、２４…のガイド突起、２５…第１のストッパー部、２７…固定インナー保持部材。
【図１】
2013074860.tif 000003
【図２】
2013074860.tif 000004
【図３】
2013074860.tif 000005
【図４】
2013074860.tif 000006
【図５】
2013074860.tif 000007
【図６】
2013074860.tif 000008
【図７】
2013074860.tif 000009
【図８】
2013074860.tif 000010